(57)【特許請求の範囲】
【請求項１】
多数のパネル電極が形成されて前記多数パネル電極間の放電によって画像を表示するプラズマディスプレーパネルにおいて、電圧が印加されるソース電極と、前記ソース電極と対面されるトリガー電極とを具備して、前記ソース電極と前記トリガー電極の間に放電を起こし、このソース電極とトリガー電極の間の放電によって前記ソース電極と前記パネル電極との間に放電を起こすことで、前記ソース電極上の電圧が、前記パネル電極に供給されることを特徴とするプラズマディスプレーパネル。
【請求項２】
前記ソース電極と前記トリガー電極は前記パネルの上部基板と下部基板上に対面するようにそれぞれ形成されることを特徴とする請求項１記載のプラズマディスプレーパネル。
【請求項３】
前記トリガー電極は低電圧の制御信号が供給される体部と、前記体部から前記パネル電極の側に伸張されて前記パネル電極を囲む少なくとも一つ以上のアームとを具備して、前記パネル電極は前記トリガー電極の前記アームの間に位置するように前記トリガー電極の側に伸張される少なくとも一つ以上のアームとを追加で具備することを特徴とする請求項１記載のプラズマディスプレーパネル。
【請求項４】
多数のパネル電極が形成されて前記パネル電極間の放電によって画像を表示するプラズマディスプレーパネルにおいて、低電圧の制御信号に応答して初期放電が起こるようにするトリガー電極と、外部の高電源の供給装置から高電位電圧の供給を受けて前記初期放電を発生させて隣接した前記パネル電極と二次放電が起きるようにするソース電極とを具備して、前記二次放電によって前記ソース電極上の電圧は前記パネル電極に供給されることを特徴とするプラズマディスプレーパネル。
【請求項５】
前記ソース電極と前記トリガー電極は放電空間を間に置いて相互対向されるように前記パネルの上部基板と下部基板上にそれぞれ形成されて、前記パネル電極は前記トリガー電極と同一の平面上に隣接されるように設置されることを特徴とする請求項４記載のプラズマディスプレーパネル。
【請求項６】
前記トリガー電極は低電圧の制御信号が供給される体部と、前記体部から前記パネル電極の側に伸張されて前記パネル電極を囲む少なくとも一つ以上のアームとを具備して、前記パネル電極は前記トリガー電極の前記アームの間に位置するように前記トリガー電極の側に伸張される少なくとも一つ以上のアームとを追加で具備することを特徴とする請求項４記載のプラズマディスプレーパネル。
【請求項７】
セル内に放電を起せるための多数のパネル電極を有するプラズマディスプレーパネルを駆動するための方法において、低電圧の制御信号を入力する段階と、前記低電圧の制御信号に応答して初期放電を起こせる段階と、前記初期放電の転移によって前記パネル電極と高電圧が供給されるソース電極の間に二次放電が起きるようにすることで前記ソース電極上の高電圧を前記パネル電極に供給する段階を含むことを特徴とするプラズマディスプレーパネルの低電圧の駆動方法。
【請求項８】
前記低電圧の制御信号は前記プラズマディスプレーパネルと連結された駆動回路から発生されて放電空間を間に置いて前記ソース電極と対向されるトリガー電極に供給されることを特徴とする請求項７記載のプラズマディスプレーパネルの低電圧の駆動方法。
【請求項９】
前記ソース電極と前記トリガー電極と共に初期放電されて高電圧を前記パネル電極に供給することを特徴とする請求項７記載のプラズマディスプレーパネル低電圧の駆動方法。
【発明の詳細な説明】
【０００１】
【発明の属する技術分野】
本発明はプラズマディスプレーパネルに関し、特に低電圧信号によって駆動されるようにしたプラズマディスプレーパネルに関する。また、本発明は低電圧素子だけに駆動回路を具現して低電圧信号によってプラズマディスプレーパネルの低電圧の駆動装置及び方法に関する。
【０００２】
【従来の技術】
最近、大型パネルの製作が容易なプラズマディスプレーパネル（Plazma Display Panel；以下“ＰＤＰ”という）が注目を受けている。このようなＰＤＰはマトリックス形態で配列された多数の放電セルを有する。放電セルは放電を維持させるための維持電極ラインと放電されるセルを選択するためのアドレス電極ラインの交差点のそれぞれに設けられる。
【０００３】
ＰＤＰは壁電荷を蓄積するための誘電体層が放電セル内に存在するかによって直流型及び交流型のパネルに大別されている。このＰＤＰは電極に数百ボルトの高電位を入力して放電を起こす。このために、ＰＤＰの駆動回路には数百ボルトの高電位を発生させるための高電圧素子を含むようになる。
【０００４】
実際に、交流型３電極ＰＤＰは大略２００乃至３００Ｖの高電圧によって駆動される。
【０００５】
図１を参照すると、交流型３電極ＰＤＰの一つのセルは維持電極対（１２Ａ、１２Ｂ）が形成された前面基板（１０）と、アドレス電極（２０）が形成された背面基板とを具備する。前面基板（１０）と背面基板（１８）は隔壁（２４）を間に置いて平行に離隔される。前面基板（１０）、背面基板（１８）及び隔壁（２４）によって設けられた放電空間にはＮｅ−Ｘｅ、Ｈｅ−Ｘｅなどの混合ガスが注入される。維持電極対（１２Ａ、１２Ｂ）は一つのプラズマ放電チャンネル内に二つが一対と成すようになる。維持電極対（１２Ａ、１２Ｂ）の中のいずれか一つはアドレス期間に供給されるスキャンパルスに応答してアドレス電極（４）と共に対向放電を起こしてサステイニング期間に供給されるサステイニングパルスに応答して隣接した異なる維持電極と面放電を起こす走査/サステイニング電極で利用される。また、走査/サステイニング電極で利用される維持電極（１２Ａまたは１２Ｂ）と隣接した維持電極（１２Ａまたは１２Ｂ）はサステイニングパルスが共通に供給される共通サステイニング電極で利用される。維持電極対（１２Ａ、１２Ｂ）が形成された前面基板（１０）上には保護膜（１６）が積層される。誘電層（１４）はプラズマ放電電流を制限することと共に放電時に壁電荷を蓄積する役割をする。保護膜（１６）はプラズマ放電時に発生されたスパタリングによる誘電層（１４）の損傷を防止して二次電子の放出効率を高めるようになる。この保護膜（１６）は通常酸化マグネシウム（ＭｇＯ）を利用する。背面基板（１８）にはアドレス電極（２０）を覆う誘電体厚膜（２６）が形成されて、放電空間を分割するための隔壁など（２４）が垂直に伸張される。背面基板（１８）と隔壁など（２４）の表面には真空紫外線によって励起されて可視光を発生する蛍光体（２２）が塗布される。
【０００６】
このようなＰＤＰのセル（１）は図２に図示されたようにパネル（３０）上にマトリックス形態で配置される。セル（１）それぞれには走査/サステイニング電極ライン（Ｓ１乃至Ｓｍ）、共通サステイニング電極ライン（Ｃ１乃至Ｃｍ）及びアドレス電極ライン（Ｄ１乃至Ｄｎ）が交差される。走査/サステイニング電極ライン（Ｓ１乃至Ｓｍ）と共通サステイニング電極ライン（Ｃ１乃至Ｃｍ）は図１の維持電極対（１２Ａ、１２Ｂ）からなる。そして、アドレス電極ライン（Ｄ１乃至Ｄｎ）はアドレス電極（２０）からなる。
【０００７】
このような交流型３電極ＰＤＰはアドレス電極（２０）と維持電極対（１２Ａ、１２Ｂ）の中のいずれか一つとの間の対向放電によって表示しようとするセルを選択した後、維持電極対（１２Ａ、１２Ｂ）の間の面放電によって放電を維持するようになる。維持放電によって発生される紫外線は蛍光体（２２）を発光させる。この時、放電に必要な電圧は電極間の距離と誘電体層（１４、２６）に既に蓄積された壁電荷量によって違ってくるが、大略２００乃至３００（Ｖ）程度の高圧であるべきだ。このために、ＰＤＰ駆動装置には高圧駆動集積回路（Integrated Circuit：以下“ＩＣ”という）が必要となる。この高圧駆動ＩＣから発生された高圧が維持電極対（１２Ａ、１２Ｂ）とアドレス電極（２０）を含んだパネル電極に供給されてアドレス放電と維持放電を起こす。高圧駆動ＩＣはパネル（３０）と連結された印刷回路ボード（pRINTED cIRCUIT bOARD：以下“ＰＣＢ”という）上に載せられる。
【０００８】
高圧駆動ＩＣは図３のように高電位電圧（ＶＤＤ）及び低電位電圧（ＶＳＳ）（または基底電圧（ＧＮＤ））が供給される高圧スイッチング部（４２）と、高圧スイッチング部（４２）を制御するためのロジック部（４０）とを具備する。高圧スイッチング部（４２）はプッシ・プール（Push-pull）形態で接続されたＰチャンネルＭＯＳ  ＦＥＴ（Ｔ１）とＮチャンネルＭＯＳ  ＦＥＴ（Ｔ２）を含む。この高圧スイッチング部（４２）はロジック部（４０）の制御によって高電位電圧（ＶＤＤ）と低電位電圧（ＶＳＳ）の中のいずれか一つを選択してパネル電極（５０）に供給する。ここで、パネル電極（５０）は維持電極対（１２Ａ、１２Ｂ）あるいはアドレス電極（２０）に相当し、パネル（３０）上に形成される。ロジック部（４０）がロジック入力信号（ＬＩｎ）に応答してロー論理の制御信号を発生する。そうすると、ＰチャンネルＭＯＳ  ＦＥＴ（Ｔ１）がターン・オンされるので高電位電圧（ＶＤＤ）が第１電圧入力ライン（３１）と出力ライン（３３）を経由してパネル電極（５０）に供給される。反面、ロジック部（４０）からハイ論理の制御信号を発生すると、ＮチャンネルＭＯＳ  ＦＥＴ（Ｔ２）がターン・オンされるので低電位電圧（ＶＳＳ）が第２電圧入力ライン（３２）と出力ライン（３３）を経由してパネル電極（５０）に供給される。
【０００９】
このようなロジック部（４０）と高圧スイッチング部（４２）はパネル電極（５０）に直列に接続されるのでパネル電極（５０）の数ほど必要である。ＶＧＡクラスの解像度を有するパネルの場合には赤色、緑色及び青色データが供給されるアドレス電極ライン（Ｄ１乃至Ｄｎ）が全てで１９２０（３×６４０）個だ。この場合、高圧駆動ＩＣはそれぞれ出力ピンが６４個であるとアドレス電極ライン（Ｄ１乃至Ｄｎ）を駆動するために３０個が必要となる。従って、パネル（３０）の解像度がＳＸＧＡクラスまたはそれ以上に向上されるほど高圧駆動ＩＣはその分多く必要となる。しかし高圧駆動ＩＣは一般的な低圧駆動ＩＣに比べて高価であるのでＰＤＰの生産原価を上昇させる主要な原因となっている。更に、前述したところのようにパネル（３０）の解像度がＳＸＧＡクラス又はそれ以上に高くなるほどもっと多い高圧駆動ＩＣが必要であるので生産原価が飛躍的に大きくなるしかない。このような問題点は交流型３電極ＰＤＰだけではなく数百ＭＨｚの高周波信号によって放電を起こす高周波ＰＤＰや数百Ｖ以上の直流電圧信号によって放電を起こす直流型ＰＤＰでも表れている。
【００１０】
【発明が解決しようとする課題】
従って、本発明の目的は低電圧信号によって駆動されるようにしたＰＤＰを提供することにある。
【００１１】
本発明の異なる目的は低電圧素子だけに駆動回路を具現して低電圧信号によってプラズマディスプレーパネルを駆動するようにしたＰＤＰの低電圧駆動装置及び方法を提供することにある。
【００１２】
【課題を解決するための手段】
前記目的を達成するために、本発明によるＰＤＰは電圧が印加されるソース電極と、前記ソース電極と対面されるトリガー電極とを具備して、前記ソース電極とトリガー電極の間に放電を起こすことで前記ソース電極上の電圧を前記パネル電極に供給するようになる。
【００１３】
本発明によるＰＤＰは低電圧の制御信号に応答して初期放電が起こすようにするトリガー電極と、外部の高電源の供給装置から高電位電圧を供給受けて前記初期放電を発生させて隣接した前記パネル電極と二次放電が起きるようにするソース電極とを具備して、前記二次放電によって前記ソース電極上の電圧は前記パネル電極に供給される。
【００１４】
本発明によるＰＤＰの低電圧駆動装置は低電圧の制御信号を発生する駆動回路部と、プラズマディスプレーパネル上に位置して前記低電圧制御信号に応答してパネル電極などそれぞれに高電圧を供給するためのトリガー駆動部とを具備する。
【００１５】
本発明によるＰＤＰの低電圧駆動方法は低電圧の制御信号を入力する段階と、低電圧の制御信号に応答して初期放電を起こせる段階と、前記初期放電の転移によってパネル電極と高電圧が供給されるソース電極の間に二次放電が起きるようにすることで前記ソース電極上の高電圧を前記パネル電極に供給する段階を含む。
【００１６】
本発明によるＰＤＰは維持電極及びアドレス電極などのパネル電極に直接高圧を供給しなくてトリガー電極と高圧が印加されるソース電極の間の放電スイッチングによって高圧をパネル電極に供給するようになる。
【００１７】
【発明の実施の形態】
以下、本発明の実施例を添付した図４乃至図１３を参照して詳細に説明する。
【００１８】
図４を参照すると、パネルの基板上に設置される放電スイッチ・アレー（７０）と、パネルの外部のＰＣＢ上に設置されて放電スイッチ・アレー（７０）を制御するためのロジック部（４０）及びバッファー（６０）とを具備する本発明による電極スイッチ機能を有するＰＤＰ及びその駆動部が図示されている。バッファー（６０）と放電スイッチ・アレー（７０）はＰＣＢとパネルを横切る出力ライン（６１）を間に置いて相互接続される。放電スイッチ・アレー（７０）はパネル（３０）上に設置されてバッファー（６０）の出力ライン（６１）とパネル電極（５０）の間に接続される。この放電スイッチ・アレー（７０）はＰＣＢ上に載せられている高圧電源の供給装置（８０）から高電位の直流電圧（ＤＣ）またはパルス電圧の供給を受ける。放電スイッチ・アレー（７０）はバッファー（６０）から発生された低圧制御信号に応答してトリガー放電を起こす。このために、放電スイッチ・アレー（７０）はパネル電極（５０）と入力ライン（６１）の間に連結された多数の放電スイッチ（７０Ａ）とを具備する。放電スイッチ・アレー（７０）によってトリガー放電が発生されるとパネル電極（５０）には放電スイッチ（７０Ａ）から高電位電圧が供給される。ロジック部（４０）はロジック入力信号（ＬＩｎ）に応答して放電スイッチ（７０Ａ）を制御するための制御信号を発生する。バッファー（６０）はロジック部（４０）から供給される制御信号の電圧レベルを放電スイッチ・アレー（７０）の駆動電圧程度レベルシフトする。また、バッファー（６０）はロジック部（４０）と放電スイッチ・アレー（７０）の間の信号緩衝の役割をする。バッファー（６０）から出力されて放電スイッチ（７０Ａ）に供給される低圧制御信号は大略数（Ｖ）乃至数百（Ｖ）程度の電圧レベルを有するようになる。
【００１９】
図５及び図６は図４に図示された放電スイッチ（７０Ａ）の第１実施例を表す。
【００２０】
図５及び図６を参照すると、放電スイッチ（７０Ａ）は出力ライン（６１）に接続されたトリガー電極（７１）と、トリガー電極（７１）に直交されるソース電極（７２）と、トリガー電極（７１）と並んで形成されることと共に放電空間を間に置いてソース電極（７２）に対向されるパッド部（７３）とを具備する。トリガー電極（７１）は体部（７１Ａ）と、体部（７１Ａ）の一段で伸張されるアーム（７１Ｂ）を含む。体部（７１Ａ）とアーム（７１Ｂ）によってトリガ電極（７１）はパッド部（７３）の端段と一側壁を囲むようになる。アーム（７１Ｂ）は図６及び図７のように放電空間（１００）を間に置いてソース電極（７２）に対向されることと共にパッド部（７３）と同一の平面上に位置する。このようなトリガー電極（７１）にはバッファー（６０）から発生された大略数（Ｖ）乃至数百（Ｖ）の制御信号が供給される。ソース電極（７２）には多数のトリガー電極（７１）とパネル電極（５０）に共通に対向しながら高圧電源の供給装置（８０）から高電位の直流電圧（ＤＣ）またはパルス型の電圧が供給される。トリガー電極（７１）に印加される低電位の電圧の制御信号とソース電極（７２）に印加される高電位電圧の電圧差が放電が起こり得る電圧差よりも大きくなったときにトリガー電極(７１)はトリガーされる。このトリガー放電によってソース電極（７２）上の高電位電圧はパネル電極（５０）に連結されたパッド部（７３）に伝達される。パッド部（７３）は維持電極対（１２Ａ、１２Ｂ）とアドレス電極（２０）を含んだパネル電極（５０）と共にパタニングされてパネル電極（５０）と一体化される。ソース電極（７２）とパッド部（７３）の重畳面積はパネル電極（５０）に供給される電流の量を顧慮して決定される。ソース電極（７２）とパッド部（７３）が重畳される面積が大きいとパネル電極（５０）にその分多くの電流が供給される反面、その面積が小さくなるとパネル電極（５０）に供給される電流は少なくなる。トリガー電極（７１）、ソース電極（７２）及びパッド部（７３）は電極物質の蒸着工程と蝕刻工程を経て上/下部基板（１０、１８）上に形成されるパネル電極（５０）と共にパタニングされる。
【００２１】
一方、外部の高圧電源の供給装置（８０）で放電スイッチ・アレー（７０Ａ）のソース電極（７２）に供給される高電位電圧がパルス電圧であるとトリガ電極（７１）に供給される低電位電圧の制御信号はソース電極（７２）に供給される高電位のパルス電圧と同期されるべきだ。
【００２２】
図７及び図８を参照すると、維持電極対（１２Ａ、１２Ｂ）に並んで上部基板（１０）上に形成されるトリガー電極（７１）と、放電空間（１００）を間に置いてパネル電極（５０）及びトリガー電極（７１）と直交されるソース電極（７２）が図示されている。このようにパネル電極（５０）が維持電極対（１２Ａ、１２Ｂ）である場合にはトリガー電極（７１）が上部基板（１０）上に形成されて、ソース電極（７２）が下部基板（１８）上に形成される。
【００２３】
これと異なって、パネル電極（５０）がアドレス電極（２０）である場合にトリガ電極（７１）はアドレス電極（２０）と並んで下部基板（１８）上に形成されて、ソース電極（７２）は上部基板（１０）上に形成される。
【００２４】
放電スイッチ・アレー（７０Ａ）のスイッチ動作を図９Ａ及び図９Ｂを結びつけて説明する。ソース電極（７２）には正極性（＋）の高電位直流電圧（ＤＣ）か高電位パルス電圧が供給される。また、高電位電圧が供給される同時に、トリガ電極（７１）に数十Ｖの負極性（ー）制御信号が印加されると図９Ａのようにトリガー電極（７１）のアーム（７１Ｂ）とソース電極（７２）の間にはトリガ放電が起きる。このトリガ放電によって発生された空間の荷電粒子がプラズマ拡散と共に維持電極パッド部（７３）側に移動するようになる。このように拡散される空間荷電粒子によって図９Ｂのように維持電極パッド部（７３）とソース電極（７２）の間の放電空間にはプラズマ放電が起きる。このプラズマ放電によって維持電極パッド部（７３）とソース電極（７２）の間には電流パスが形成される。この電流パスを通してソース電極（７２）上の高電位電圧が維持電極パッド部（７３）を経由して維持電極対（１２Ａ、１２Ｂ）またはアドレス電極（２０）に供給される。トリガー電極（７１）に印加される制御信号が基底電位（ＧＮＤ）に変ずるようになるとトリガ電極（７１）とソース電極（７２）の間のトリガー放電は消滅されて放電スイッチ（７０Ａ）はオフ（Off）される。万が一、ソース電極（７２）に高電位パルス電圧が印加されるとトリガー放電の放電電圧をもう少し低くすることができる。放電スイッチ(７０Ａ)は、ターンオフされると、ソース電極(７２)は基底電位(ＧＮＤ)になり、パネル電極は高電位電圧に充電され、従って、パネル電極(５０)とソース電極(７２)の間の逆放電が生じる。このように逆放電が発生されるとパネル電極（５０）上の電圧は容易に基底電位（ＧＮＤ）まで放電される。
【００２５】
一方、トリガ電極（７１）に供給される電流は所定のレベル以下に制限される必要がある。これはトリガー電極（７１）とソース電極（７２）間の放電時に電極間のショートを防ぐためである。万が一、トリガー電極（７１）とソース電極（７２）の間がショートされるとパッド部（７３）とソース電極（７２）間の放電時にソース電極（７２）上の高電位電圧が維持電極パッド部（７３）側に供給されなくてトリガー電極（７１）側に供給されるようになる。このために、トリガ電極（７１）には図１０のように電流制限用の抵抗が形成されることが好ましい。電流制限用の抵抗はトリガー電極（７１）上に誘電体物質（７１Ｃ）を塗布することで形成されることができる。誘電体物質（７１Ｃ）はトリガー電極（７１）に印加される電流を制限することは勿論として、放電によって発生されるスパタリングからトリガー電極（７１）を保護する保護層の役割を兼ねる。
【００２６】
図１１は図５に図示された放電スイッチ（７０Ａ）の第２実施例を表す。
【００２７】
図１１を参照すると、放電スイッチ（７０Ａ）はトリガー電極（７４）の両側を囲むパッド部（７５）とを具備する。トリガー電極（７４）にはバッファー（６０）から低圧制御信号が供給される。このトリガー電極（７４）はバッファー（６０）の出力ライン（６１）に接続された体部（７４Ａ）と、体部（７４Ａ）の中央部から維持電極パッド部（７５）側に伸張されたアーム（７４Ｂ）を含む。アーム（７４Ｂ）は放電空間（１００）を間に置いてソース電極（７２）に対向されることと共にパッド部（７５）と同一の平面上並べるようになる。ソース電極（７２）はトリガー電極（７４）のアーム（７４Ｂ）に直交されて、高電位電圧が供給される。このソース電極（７２）はトリガー電極（７４）と共にトリガー放電された後、パッド部（７５）と共に放電されて高電位電圧をパッド部（７５）に供給する。パッド部（７５）はパネル電極（５０）に接続された体部（７５Ａ）と、体部（７５Ａ）の両端でトリガー電極（７４）のアーム（７４Ｂ）を囲むアーム（７５Ｂ）を含む。トリガ電極（７４）のアーム（７４Ｂ）両側に隣接したパッド電極（７５）のアーム（７５Ｂ）によって矢印に表したようにトリガー電極（７４）とソース電極（７２）の間のプラズマ放電が両側に拡散される。このようにプラズマ放電が両側に拡散されるためのその分スイッチング・ターン・オン時間が短くなるのでソース電極（７２）上の高電位電圧がパネル電極（５０）に速く供給される。また、プラズマ放電が両側に拡散されるとトリガー放電に必要な電圧が低くなることができる。
【００２８】
図１２及び図１３でのように、トリガー電極（７６）のアーム（７６Ｂ）とパッド部（７５、７７）上に形成されたアーム（７５Ｂ、７７Ｂ）の数を増加させるとスイッチング・ターン・オン時間をもっと短く、トリガー放電に必要な電圧をもっと低くすることができる。この場合、パッド部（７５、７７）のアーム（７５Ｂ、７７Ｂ）はトリガー電極（７６）のアーム（７６Ｂ）の間に位置する。
【００２９】
【発明の効果】
上述したところのように、本発明によるＰＤＰは維持電極やアドレス電極などのパネル電極に直接に高圧が供給されず、トリガー電極と高圧が印加されるソース電極の間の放電スイッチングによって高圧がパネル電極に供給されるようになる。これによって、低圧駆動ＩＣをパネル電極に直接に高圧を供給するための高圧駆動ＩＣの代わりにすることができるので駆動回路部の低価格化を実現することができる。本発明によるＰＤＰの低電圧駆動装置及び方法は駆動回路から供給される低電圧の制御信号によってプラズマディスプレーパネルに高圧を供給することができるのでプラズマディスプレーパネルを低電圧に駆動することができる。
【００３０】
以上説明した内容を通して当業者であれば本発明の技術思想を一脱しない範囲で多様な変更及び修正が可能であることが分かる。従って、本発明の技術的な範囲は明細書の詳細な説明に記載された内容に限らず特許請求の範囲によって定めなければならない。
【図面の簡単な説明】
【図１】図１は従来の交流型プラズマディスプレーパネルの放電セルの構造を表す写視図である。
【図２】図２は図１のような放電セルがマトリックス形態で配置された交流型のプラズマディスプレーパネルの平面図である。
【図３】図３は交流型プラズマディスプレーパネルの高圧駆動部を表す回路図である。
【図４】図４は本発明の実施例によるプラズマディスプレーパネルの低電圧の駆動装置を表す図面である。
【図５】図５は図４に図示された放電スイッチの第１の実施例を表す図面である。
【図６】図６は図４に図示された放電スイッチの第１の実施例を表す図面である。
【図７】図７は図６に図示された放電スイッチで線″Ａ−Ａ′″に沿って切り取って表す断面図である。
【図８】図８は図６に図示された放電スイッチで線″Ｂ−Ｂ′″に沿って切り取って表す断面図である。
【図９Ａ】図９Ａは図６に図示された放電スイッチのスイッチング動作を段階的に表す断面図である。
【図９Ｂ】図９Ｂは図６に図示された放電スイッチのスイッチング動作を段階的に表す断面図である。
【図１０】図１０は図６に図示されたトリガー電極に誘電体物質が成膜されることを表す断面図である。
【図１１】図１１は図５に図示された放電スイッチの第２の実施例を表す図面である。
【図１２】図１２は図５に図示された放電スイッチの第３の実施例を表す図面である。
【図１３】図１３は図５に図示された放電スイッチの第４の実施例を表す図面である。
【符号の説明】
１  セル
１０、４０  前面基板
１２Ａ、１２Ｂ  維持電極対
１４  誘電層
１６  保護膜
１８  背面基板
４、２０  アドレス電極
２２  蛍光体
２４  隔壁
２６  誘電体厚膜
３０  パネル
３１  第１電圧入力ライン
３２  第２電圧入力ライン
３３、６１  出力ライン
４０  ロジック部
４２  高圧スイッチング部
５０  パネル電極
６０  バッファー
７０  放電スイッチング・アレー
７０Ａ  放電スイッチ
７１、７４  トリガー電極
７１Ａ、７４Ａ  体部
７１Ｂ、７４Ｂ、７５Ｂ  アーム
７１Ｃ  誘電体物質
７２  ソース電極
７３、７５、７７  パッド部
８０  高圧電源供給装置
１００  放電空間
【図１】
0003542551.tif 000002
【図２】
0003542551.tif 000003
【図３】
0003542551.tif 000004
【図４】
0003542551.tif 000005
【図５】
0003542551.tif 000006
【図６】
0003542551.tif 000007
【図７】
0003542551.tif 000008
【図８】
0003542551.tif 000009
【図９Ａ】
0003542551.tif 000010
【図９Ｂ】
0003542551.tif 000011
【図１０】
0003542551.tif 000012
【図１１】
0003542551.tif 000013
【図１２】
0003542551.tif 000014
【図１３】
0003542551.tif 000015